(57)【要約】      （修正有）【課題】室内で、日本庭園の景色を楽しむことができ、水のせせらぎを聴きながら、食事したり、くつろいだ時間を過ごしたりできる娯楽性の高いテーブルを提供する。【解決手段】テーブルは、平板状の天板１と、天板の表面に設けられた水路１１と、水路の一部に設けられた吐水口と、水路の他部に設けられた排水口と、天板の裏面に配設された吐水口と排水口とを接続する管と、管に設けられたポンプと、を備える。水路は、吐水口が排水口より高い位置にあり、吐水口から排水口にかけて水路の底が傾斜している。また、天板の下部且つ排水口の近傍に水を貯める凹部を有する鉢２を備え、吐水口の近傍には、鉢植えされた植物Ｂを載置する凹部または開口部を備える。電源や保守修理コストの高い精密機器類を使用せず、岩１４や植物の設置など、テーブル上に趣向を凝らした仕掛けを施すことで、娯楽性の高いテーブルとなる。【選択図】図２
0003221018.tif 000002
【実用新案登録請求の範囲】
【請求項１】
平板状の天板と、
前記天板の表面に設けられた水路と、
前記水路の一部に設けられた吐水口と、
前記水路の他部に設けられた排水口と、
前記天板の裏面に配設された前記吐水口と前記排水口とを接続する管と、
前記管に設けられたポンプと、を備えたことを特徴とするテーブル。
【請求項２】
前記水路は、前記吐水口が前記排水口より高い位置にあり且つ前記吐水口から前記排水口にかけて水路の底が傾斜していることを特徴とする請求項１に記載のテーブル。
【請求項３】
前記天板の下部且つ前記排水口の近傍に水を貯める凹部を有する鉢を備えたことを特徴とする請求項１又は請求項２に記載のテーブル。
【請求項４】
前記吐水口の近傍に、鉢植えされた植物を載置する凹部または開口部を備えたことを特徴とする請求項１から請求項３いずれか１つに記載のテーブル。
【請求項５】
樹脂からなることを特徴とする請求項１から請求項４いずれか１つに記載のテーブル。
【考案の詳細な説明】
【技術分野】
【０００１】
本考案は、室内で、日本庭園の景色を楽しむことができ、水のせせらぎを聴きながら、食事したり、くつろいだ時間を過ごしたりできる娯楽性の高いテーブルである。
【背景技術】
【０００２】
テーブルは、一人で又は家族や友人達とお茶や食事を楽しんだり、複数人でミーティングを行ったりする際に使用される。食事が配膳されるまでの間や、ミーティングの前後の待ち時間、テーブルを囲む人達は、椅子に着席した状態で、待ち時間を過ごす。また、１人で食事する場合、ミーティング場所に最初に到着して他の参加者を待つ場合、その者は、テーブル上を眺めて待ち時間を過ごす。このような時間に、テーブルを囲む人たちがリラックスして和やかに過ごせるよう、従来から、娯楽性の高い様々なテーブルが考案されている。
【０００３】
特許文献１のテーブルは、テーブルの天板下部に、スピーカーや音響機器が供えられ、ＬＥＤ照明が設けられたもので、テーブル上で音楽等娯楽を提供できるものである。
【０００４】
【特許文献１】登録実用新案第３１８８３８５号
【考案の概要】
【考案が解決しようとする課題】
【０００５】
これらテーブルは、テーブル上で音楽を楽しむことができたり、様々なカラーのＬＥＤ照明が点滅するさまを鑑賞できる。娯楽性が高いが、電源を必要とし、音響機器類も備える必要があるので、維持コストが高い。また、スピーカーからの音楽が、周囲に漏れると騒音トラブルにつながることから室内の防音対策も必要でとなる。
【０００６】
そこで、本考案のテーブルは、電源や保守修理コストの高い精密機器類を使用せず、テーブル上に趣向を凝らした仕掛けを施すことで、娯楽性の高いテーブルを提供する。本考案のテーブルは、目で見て楽しむものである。騒音は生じず、テーブルを囲む人たちの間に、共通の話題を提供する。また、テーブルを一人で使用する際には、よりリラックスした空間を提供する。
【課題を解決するための手段】
【０００７】
本考案のテーブルは、平板状の天板と、前記天板の表面に設けられた水路と、前記水路の一部に設けられた吐水口と、前記水路の他部に設けられた排水口と、前記天板の裏面に配設された前記吐水口と前記排水口とを接続する管と、前記管に設けられたポンプと、を備えたことを特徴とする。
【０００８】
この考案によれば、天板の表面に、吐水口と排水口を備えた水路が設けられていることで、吐水口から吐出した水が、水路を通って排水口から排水されるので、テーブルの上で、水の流れを視覚及び聴覚で感じながら食事をすることができ、リラックスした楽しい食事時間を過ごすことができる。
【０００９】
また、本考案のテーブルの水路は、前記吐水口が前記排水口より高い位置にあり且つ前記吐水口から前記排水口にかけて水路の底が傾斜していることを特徴とする。
【００１０】
この考案によれば、前記排水口より板の末端より高い位置にあり且つ前記吐水口から前記排水口にかけて水路の底が傾斜しているため、動力装置を使用せずとも、吐水口から出た水が、水路を流れ、排水口に緩やかに流れていく。水路を流れる水音のせせらぎを聴きながらリラックスした気分を味わうことができる。
【００１１】
また、本考案のテーブルは、天板の下部且つ前記排水口の近傍に水を貯める凹部を有する鉢を備えたことを特徴とする。
【００１２】
この考案によれば、吐水口から出た水が、水路を流れ、排水口に緩やかに流れ、天板の下部且つ前記排水口の近傍に水を貯める凹部を有する鉢に落下していく。水のせせらぎと、鉢に落ちる水音を聴き、川辺の風景を模したテーブル上の水路を眺め、視覚と聴覚同時に楽しむことができる娯楽性の高いテーブルを提供できる。
【００１３】
また、本考案のテーブルは、吐水口の近傍に、鉢植えされた植物を載置する凹部または開口部を備えたことを特徴とする。
【００１４】
この考案によれば、吐水口の近傍に、鉢植えされた植物を載置することができるので、室内にいながら、木々や小川のほとりのような美しい風景をテーブル上に再現することができる。自然の中でマイナスイオンを浴びながら食事やお茶をしているようなリラックスした空間を提供できるテーブルとすることができる。
【００１５】
また、本考案のテーブルは、樹脂からなることを特徴とする。
【００１６】
この考案によれば、美しい自然風景を楽しむことができる娯楽性の高いテーブルを樹脂製で作成することで、軽量かつ手入れが簡単なテーブルを提供することができる。
【図面の簡単な説明】
【００１７】
【図１】本考案にかかるテーブル１００の正面図である。
【図２】図１に示したテーブル１００の斜視図である。
【図３】（ａ）は、本考案にかかるテーブル１００の天板１の平面図であり、（ｂ）は、鉢２の斜視図であり、（ｃ）は、脚体３の斜視図である。
【図４】図１に示したテーブル１００の平面図である。
【図５】図４に示したテーブル１００のＡ−Ａ‘断面図である。
【図６】図５に示したテーブル１００を説明するための模式図である。
【図７】本考案にかかるテーブル２００の斜視図である。
【図８】図７に示したテーブル２００の平面図である。
【図９】本考案にかかるテーブル２００の鉢２を示す斜視図である。
【考案を実施するための形態】
【００１８】
以下、本考案を実施するための最良の形態について、実施の形態毎に詳細に説明する。
【００１９】
（実施の形態１）
最初に、図１から図６を示しながら、実施の形態１のテーブル１００について説明する。図１は、本考案にかかるテーブル１００の正面図であって、図２は、図１に示したテーブル１００の斜視図である。図３は、（ａ）は、本考案にかかるテーブル１００の天板１の平面図であり、（ｂ）は、鉢２の斜視図であり、（ｃ）は、脚体３の斜視図である。
【００２０】
図１に示すように、実施の形態１のテーブル１００は、天板１、鉢２及び脚体３を主に有する。天板１は、平板状であり、自然木から切り出した板を模した外観となるように樹脂等で着色及び成型したものである。天板１には溝状の水路１１が設けられており、水路１１の一部には吐水口１２が設けられている。水路１１の他部には、排水口１３が設けられ、排水口１３の直下には、鉢２が設置されている。
【００２１】
天板１は、実施の形態１では樹脂で成型して作成する。天板１は、水路１１となるような溝や切込みを備えた木を使用して作成してもよく、また、自然木を板状に切り出したうえ、溝を掘って水路１１として作成してもよい。
【００２２】
図２に示すように、鉢２は、天板１の排水口１３の直下に凹部１２が位置するように、天板１の下部に、天板１を支持するように設置されている。鉢２は、石製または樹脂製で、日本庭園に置かれた石製水鉢の外観を模して成型または作製されている。日本庭園用の石鉢を用いてもよい。
【００２３】
天板１の下部であって、鉢２が設置された側とは対向する側には、脚体３が設置されている。脚体３は、鉢２と同じ高さを有している。天板１は、脚体３と鉢２で支持されている。脚体３は、実施の形態１では、立方体形状に組まれた枠体を脚体３と使用している。脚体３は、鉢２と高さが同じであって且つ天板１を鉢２の高さに支持することが可能な支持体であれば、立方体形状に組まれた枠体に限定されない。鉢２と同じ高さの円柱や角柱を用いたり、又は、鉢２を、もう１つ設置して天板１を両端で支持するようにしてもよい。
【００２４】
図３に示すように、テーブル１００は、天板１、鉢２及び脚体３という３つの構成部材からなる。それぞれの構成部材は、分離可能であり、運搬の際は、別個に運ぶことができる。また、収納する際は、別々の場所に、空きスペースに応じて収納することが可能である。
【００２５】
３つの構成部材のうち、天板１、鉢２及び脚体３は、複数種類の色違いやデザイン違いの部材を準備しておくとよい。その日の気分や、各自の好みで、天板１、鉢２及び脚体３の組み合わせを変えて楽しむことができる。また、それぞれ、複数種類備えておくことで、部材が消耗した際に、交換又は新調もスムーズに行うことができる。さらに、シーズンごとに、新しいデザインを投入すれば、需要者の購入意欲を刺激でき、マーケティング効果も高くなる。
【００２６】
図４は、図１に示したテーブル１００の平面図であって、図５は、図４に示したテーブル１００のＡ−Ａ‘断面図である。図６は、図５に示したテーブル１００を説明するための模式図である。
【００２７】
図４に示すように、天板１は、平面視、天板１の表面であって、長手方向に、水路１１が設けられ、吐水口１２から吐出した水が、水路１１に沿って排水口１３まで流れ落ちるようになっている。吐水口１２から吐出する水は、ポンプ１６によって汲み上げられ送水されているので、吐出した水は、水路１１を通って自然に排水口１３まで流れていく。水路１１の底面を、吐水口１２から排水口１３にかけて、緩く傾斜を設けて、吐水口１２から排水口１３にかけて水が流れやすい構成としてもよい。
【００２８】
図５に示すように、排水口１３から鉢２に注ぎ込まれた水は、鉢２の凹部２１の中に溜っていく。鉢２の凹部２１の中には、ポンプ１６を先端に設置した管１７が投入されており、ポンプ１６は、凹部２１の水を吸い上げて、管１７を通して吐水口１２まで水を送水する。
【００２９】
図６に示すように、水は、テーブル１００の裏面から表面を循環している。ポンプ１６は、鉢２から吸い上げて吐水口１２まで送水する。吐水口１２まで送水された水は、吐水口１２から水路１１を流れ落ち、排水口１３から、鉢２の凹部２１の中に注ぎ込む。
【００３０】
テーブル１００の水路１１は、実施の形態１で示した長手方向に流れる川のような形状のほか、天板１の短手方向に曲がったり、蛇行させたり、天板１の中心を環状に流れたり、様々な形状の水路１１とすることができる。また、植物載置部１５の形状を変えたり、数を増やしたりして、天板１の表面に、自由に、様々なデザインを施し、水路１１のほとりに設置する岩１４の形状や数を変えて、様々なデザインの天板１１を準備し、各自の気分や、テーブル１００のその日の用途にあわせて、それぞれ選択し、組み合わせて使用すると良い。
【００３１】
（実施の形態２）
次に、図７及び図８を示しながら、実施の形態２のテーブル２００について説明する。図７は、本考案にかかるテーブル２００の斜視図である。図８は、図７に示したテーブル２００の平面図である。図９は、本考案にかかるテーブル２００の鉢２を示す斜視図である。
【００３２】
図７に示すように、実施の形態２のテーブル２００は、天板１と、鉢２という２つの構成部材からなる。図８に示すように、実施の形態２では、天板１に設けられた水路１１はカーブを描いて天板１の中央近傍に設けられ、吐水口１２は、水路１１の両端に設けられている。図９に示すように、鉢２は、天板１の下部中央に、天板１を支持するように設定されている。
【００３３】
実施の形態２のテーブル２００では、水は、鉢２からポンプで吸い上げられ、２つの吐水口１２に、それぞれポンプに接続された管によって送水される。吐水口１２から吐出した水は、水路１１に沿って、排水口１３に注ぎ込む。水路１１は、植物載置部１５の周囲を流れるように設けられているので、吐水口１２から吐出した水は、植物載置部１５に載置された植物Ｂの周囲をゆっくりとめぐり、排水口１３に向かって流れていく。排水口１３は、水路１１の途中であって、両端に設けられた吐水口１２よりも低い位置に設けて水を流れやすくしてもよい。植物のほとりを流れる水を見て、せせらぎ音を聞くことで、視覚と聴覚とで、楽しむことができ、リラックスした娯楽性の高い空間を提供することができる。
【符号の説明】
【００３４】
１００，２００  テーブル  
１  天板
１１  水路
１２  吐水口
１３  排水口
１４  岩
１５  植物載置部
１６  ポンプ
１７  管
１８  電源コード
１９  差込プラグ
２  鉢
２１  凹部
３  脚体
Ｂ  植物
Ｗ  水
【図１】
0003221018.tif 000003
【図２】
0003221018.tif 000004
【図３】
0003221018.tif 000005
【図４】
0003221018.tif 000006
【図５】
0003221018.tif 000007
【図６】
0003221018.tif 000008
【図７】
0003221018.tif 000009
【図８】
0003221018.tif 000010
【図９】
0003221018.tif 000011